(57)【要約】【課題】  本発明は、従来から知られている治療法である温灸、遠赤外線、アロマテラピーなどによる身体の活性化を行なう処置を単一の装置により適宜行なうことの出来るようにする。【解決手段】  外函下部内に熱源体を収容する炉を収容し、その上位に畜熱脱臭用炭収納函体と溶液カップとよりなる第２の函体を収容し、第２の函体には、底部に多数の孔を有する盆体を置き、外函には多数の通気孔を有する蓋体を被せてなる加温部材を、ベッド床面と前記蓋体表面とがほぼ同一平面上に位置するよう設ける。【選択図】図１
2006181127.tif 000002
【特許請求の範囲】
【請求項１】
外函下部内に、熱源体を配する炉を収容し、炉の上位に畜熱脱臭用素材収納空間とカップ装着用空間とよりなる上位函体を収容し、上位函体上には、底部に多数の孔を有する盆体を位置させ、外函には多数の通気孔を有する蓋体を被せてなる加温湿部材を、ベッド床面と前記蓋体表面とがほぼ同一平面上に位置するよう設けてなる温湿熱装置。
【請求項２】
熱源体を収容する炉は水受皿によって受けられ、炉及び水受皿は、有底多孔の函体である下位函体内に置かれてなる請求項１記載の温湿熱装置。
【請求項３】
蓋体は、天板と底板とよりなる空胴内に、蓄熱脱臭用素材収容室及びカップを有するものである請求項１記載の温湿熱装置。
【請求項４】
蓋体は、有孔天板よりなるものである請求項１記載の温湿熱装置。
【請求項５】
蓄熱脱臭用素材は、備長炭，セラミック等よりなるものである請求項１又は３のいずれか記載の温湿熱装置。
【発明の詳細な説明】
【技術分野】
【０００１】
本発明は、温湿熱効果，アロマテラピー効果を得ることの出来る温湿熱装置に関する。
【背景技術】
【０００２】
医療手段或いは健康保持手段として身体の特定部位を加熱することで、身体組織の活性化をはかる手段がいろいろと行なわれている。
灸はその代表的なもので、もぐさに点火し患部を加熱するため皮膚表面に傷跡を生ずることがありそれを無くするために種々の器具が開発され（特許文献１参照）ている。
【０００３】
また、各種の薬草を焼いた煙をくゆらせ（特許文献２参照）、或いは、それら草木から揮発した芳香性の物質を利用することで治療効果を発揮させるアロマテラピーも行われ、ゆきのした，よもぎ，桃，その他多くが使用され、森林中の樹木から発散される揮発性物質を身に受ける森林浴なども行なわれている。
【０００４】
更に、備長炭とトルマリンは共にマイナスイオンと遠赤外線を放射することが知られている。身体に向け放射され身体内に滲透した遠赤外線は、マイナスイオンの微細な電流と遠赤外線の振動作用によって身体内の水分子の振動を活発化させることで、体温上昇や細胞の新陳代謝を行なう効果を有することも知られている。然し、上記それぞれの処置はいずれも各別に行なわれているのが普通であり、その処置を一つの装置により綜合して行なうものでは無かった。
【特許文献１】実開平７−３６４１号公報
【特許文献２】実開平６−３１７３９号公報
【発明の開示】
【発明が解決しようとする課題】
【０００５】
本発明は、上記従来から知られている治療法である温灸効果、遠赤外線、アロマテラピーなどによる身体の活性化を行なう処置を単一の装置により綜合して行なうことの出来るようにした装置を得ることを目的としたものである。
【課題を解決するための手段】
【０００６】
上記の目的を達成するために、第１の発明は、外函下部内に熱源体を収容し水受け皿に支持された炉を収容し、その上位に畜熱脱臭用素材収納空間と溶液カップ収納空間とよりなる上位の函体を収容し、上位の函体には、底部に多数の孔を有する盆体を置き、外函には多数の通気孔を有する蓋体を被せてなる加温部材を、ベッド床面と前記蓋体表面とがほぼ同一平面上に位置するよう設けてなる。
上記外函１内下部に置いた炉には熱源体となる備長炭を入れ、その上位に置いた上位の函体には、身体組織の活性化の原因物質となる植物，鉱物等を入れ、第２の函体上の多孔の盆体にも同様に適宜薬草鉱物等を敷き入れ、或いは、入れずに外蓋で閉じる。
【０００７】
第２の発明は、上記第１の発明において、熱源体を収容する炉は水受皿によって受けられ、炉及び水受皿は、有底多孔の函体である下位函体内に置かれてなるもので。熱源体を収容する炉を水受皿に入れることで水受皿の水分を蒸発させて保湿効果を与える。
第３の発明は、前記第１の発明において、蓋体は、蓄熱脱臭炭収容室及び溶液カップを有し、或いは有しないもので、蓄熱脱臭炭収容室には蓄熱脱臭効果を有する備長炭セラミックなどのいずれかを入れ、熱源体より発する熱を蓄積し、適宜所定の温度で熱を放出する事で盆体中の薬草などに温熱を加える。溶液カップにはトルマリン石と水を入れる。
【発明の効果】
【０００８】
本発明は、外函下部内に熱源体を収容する炉を収容し、その上位に畜熱脱臭用素材収空間体と溶液カップとよりなる第２の函体を収容し、第２の函体には、底部に多数の孔を有する盆体を置き、外函には多数の通気孔を有する蓋体を被せてなる加温部材を、ベッド床面と前記蓋体表面とがほぼ同一平面上に位置するよう設けてなるために、熱源体により熱せられた上位函体内の備長炭が着火はしていないが適宜湿度のもとで放熱を開始し、同時にトルマリン液も蒸散し、盆体内の或いは、蓋体内の薬草等を加熱することで揮発性分を蓋体から蒸散させて、その上に横たわっている者に対しアロマテラピー効果，温灸効果，赤外線の振動作用による身体内の水分子の振動を活発にすることによる活性化等の効果を得ることが出来る。
また、熱源体を収容する炉は水受皿によって受けられ、炉及び水受皿は、有底多孔の函体である下位函体内に置かれてなるために、熱源体によって、水受皿の水分が加熱され外函内には適宜湿度を保つことが出来薬草類の過乾燥を防ぐことが出来る。
【発明を実施するための最良の形態】
【０００９】
本発明の実施の形態を図面と共に次に説明する。図１は本発明温湿熱装置１の縦断面図である。本発明温湿熱装置１は外函２と蓋体３とを組み合わせてなり、外函２内下部に多孔の有底函状体よりなる下位函体４を設置し、下位函体４の内部に水受け皿５を介して炉６を設ける。水受け皿５は断熱の目的で置かれ、その中の水が蒸発して後述する蓄熱脱臭用素材１２の加湿用となる。蓄熱脱臭用素材１２は蓄熱作用，脱臭作用，遠赤外線放射作用等を発揮すものであれば良いが、図示の例では備長炭を使用している。炉６は中心に熱源体７を置くが、熱源として電気ヒーターでも使用可能であるが備長炭を用いるのが好ましいので、以下熱源体は備長炭として説明する。備長炭は硬炭で火持ちが良く遠赤外線の発生源ともなる。下位函体４の上位には上位函体８を適宜手段で設ける。上部函体８は多孔の板状体或いは網状体で作られ中央にはカップ装着用の空間９を作ったドーナツ形状をしている。前記空間９にはトルマリン液を入れたカップ１０を挿入支持し、その周囲は蓄熱脱臭用炭収納空間１１としている。収納空間１１には蓄熱脱臭用炭１２として備長炭を収容するのが望ましい。備長炭は蓄熱性も高い炭であって、収納空間１１内では着火せず、蓄熱材として使用する。
【００１０】
上位函体８上には薬草１６を入れた多孔の盆体１５を設ける。前記盆体１５を覆って外函２には蓋体３がかぶせられる。蓋体３は天板１３と底板１４とよりなりその内部が空胴になっており、内部中央にトルマリン液を入れるカップ体１７を、その周囲に炭を入れるための炭収納空間１８を設けている。蓋体３中央のカップ体１７の上位には注水口１９を、また上下両面には通気孔２０が設けられている。上記蓋体３のカップ体１７及び炭収容空間１８は、上位函体８の構成と一致するものであるため、底板１４を用いずカップ体１７及び炭収納空間１８を設けず天板１３のみとした蓋体３を使用する場合もある。
【００１１】
温湿熱装置をベッドにセットする際には、外函２に蓋体３ををかぶせ、蓋体３の天板１３とベット床面２６とのレベルを一致させて、温湿熱装置１をベッド下に設ける。ベット床面２６はマットレスを有する場合マットレスの面と蓋体３の上面とが一致するような高さとする。
２２はキャスター，２３は通気孔，２４は排気筒で、排気筒２４の先端には排気清浄部材２５が設けられている。
【００１２】
本発明温湿熱装置１を使用するときは次の如く行われる。炉６に熱源として着火している備長炭７を入れ、炉６を水を満たした水受け皿５に受けて下位函体４内に置く。上位函体８の蓄熱脱臭用炭収納空間１１に着火していない備長炭（蓄熱脱臭用炭１２）を入れ、同函体８の中央に位置するカップ収納用空間９にはトルマリン水を入れたカップ１０を置く。熱源体７の発熱を受けて水受け皿５の水分は蒸発し、上部函体８内に侵入し、蓄熱脱臭用炭１２に吸収され、又、熱源体７の加熱を受けて放湿する。即ち、水受け皿５の水は常時蓄熱脱臭用炭１２によって吸放湿されている。
上位函体８上の盆体１５には適応症状に応じた薬草１６をを入れ外函１に蓋体３を被せる。蓋体３の、カップ体１７にはトルマリンが入っているが、水で若干湿めらせてある。炭収容空間１８には備長炭を入れておく。カップ体１７のトルマリン液及び炭収納空間１８の備長炭は、上位函体８内の収容物と重複し過量となったときには省略することができる。
【００１３】
本装置内において着火する炭はは炉６内の備長炭７のみで、外函１の通気孔２３を通った外気は多孔の下位函体４の孔を通って炉６内に入り備長炭を燃焼し、燃焼ガスは排気筒２４空気清浄部材２５を通って外函１外に排出される。
炉６で発生した熱を受けて上位函体８内の蓄熱脱臭用の備長炭１２は暖められ、蓄熱すると共にその熱を逐時その上位の盆体１５に向けて発散し、同時に遠赤外線を放出している。そして、その熱及び遠赤外線は、上位の盆体１５に載置されている薬草１６に作用し薬草１６から揮発成分を揮発発散させる。揮発成分は、加熱されたカップ内のトルマリン液の蒸気と共に蓋体３にその下部の通気孔２０から入り、カップ体１７のトルマリン液及び炭収納空間１８内の備長炭を上位函体８内のトルマリン水及び備長炭と同様に加熱し、蓋上部の通気孔２０から蓋体３の該部にで、その上に横たわっている患者を加熱すると共に、患者に薬草類の揮発成分を接触吸収させアロマテラピー効果も生じさせる。
【００１４】
上記において、上位函体８及び蓋体３内の備長炭は、燃焼はしておらず、蓄熱及び放熱と同時に遠赤外線の放射を行っており、遠赤外線は近赤外線とは異なり人体内部に深く到達する。それによって、細胞内において吸収され共鳴現象が生じ分子内に大きなエネルギーが発生し、一部は活性エネルギーに変り細胞分子は活性化される。
また、トルマリンは水に反応し、電気分解をしてマイナスイオンを発生させていると同時に遠赤外線も発生しており、トルマリンと備長炭との両者の有する作用により一層人体への吸収を良好にしている。
上記作用により、アロマテラピー効果，温灸効果，赤外線の振動作用による身体内の水分子の振動を活発にすることによる活性化等の効果を一つの装置で得ることができる。
蓋体３は、外函２内の発熱体７で常時加熱され蓋体３内部の蓄熱体２１が充分に蓄熱した場合には、外函２から蓋体３を取り外し、蓋体３のみをあたかも懐炉或るいは、行火のように暖房用の器具として用いる事も出来る。即ち、外函１に対して蓋体３を複数用意すれば効果的に使用出来る。
また、蓋体３を外函２から取り外し行火の如き使い方をした場合に、蓋体３の無い外函２のみベッドに装置し、盆体１５の薬草を直接患部に当てるようにすることも出来る。
【図面の簡単な説明】
【００１５】
【図１】本発明温湿熱装置の縦断面図。
【符号の説明】
【００１６】
１  温湿熱装置
２  外函
３  蓋体
４  下位函体
５  水受け皿
６  炉
７  備長炭
８  上部函体
９  空間
１０  カップ
１１  蓄熱脱臭用炭収納空間
１２  蓄熱脱臭用炭
１５  盆体
１６  薬草
１７  カップ体
１８  炭収納空間
１９  注水口
２０  通気孔
２１  蓄熱炭
２２  キャスター
２３  通気孔
２４  排気筒
２５  空気清浄部材
２６  ベッド床面
【図１】
2006181127.tif 000003